(57)【要約】【課題】取り付け場所に合わせて容易に取り付けることが可能なブラシを提供する。【解決手段】シール材１８は、複数のブラシ糸２１ａと当該各ブラシ糸２１ａを互いに並列した状態で保持する保持糸２３とを有する毛羽体２１と、合成樹脂によって構成され、各ブラシ糸２１ａの延びる方向における毛羽体２１の一端側を挟持した状態で毛羽体２１に接合された基材２０とを備える。【選択図】図２
2014054450.tif 000002
【特許請求の範囲】
【請求項１】
複数のブラシ糸と、前記各ブラシ糸を互いに並列した状態で保持する保持糸とを有する毛羽部と、
合成樹脂によって構成され、前記各ブラシ糸の延びる方向における前記毛羽部の一端側を挟持した状態で前記毛羽部に接合された基材と
を備えたことを特徴とするブラシ。
【請求項２】
前記基材を押出成形しながら、前記基材によって前記毛羽部の一端側を挟持させることにより、前記基材と前記毛羽部とが接合されることを特徴とする請求項１に記載のブラシ。
【請求項３】
前記保持糸は前記毛羽部の一端側に位置し、
前記保持糸と前記基材とが接合されることを特徴とする請求項１または請求項２に記載のブラシ。
【請求項４】
前記保持糸と前記基材とが相溶性のある材料によって構成され、
前記保持糸と前記基材とが熱溶着されることを特徴とする請求項３に記載のブラシ。
【発明の詳細な説明】
【技術分野】
【０００１】
本発明は、基材に複数のブラシ糸が支持されたブラシに関する。
【背景技術】
【０００２】
従来、この種のブラシとしては、金属性の帯鋼（基材）に弾性を有する合成樹脂発泡体よりなるブラシ片を支持させた、いわゆるチャンネルブラシが知られている（例えば、特許文献１参照）。
【先行技術文献】
【特許文献】
【０００３】
【特許文献１】登録実用新案第３０８７１２８号公報
【発明の概要】
【発明が解決しようとする課題】
【０００４】
ところで、上述のようなチャンネルブラシは、金属性の帯鋼を有しているため、例えば曲面に取り付けて使用する場合には、その取り付け場所となる曲面に合わせて容易に曲げることができない。このため、取り付け場所への取り付け作業が困難であるという問題がある。
【０００５】
本発明は、このような課題に着目してなされたものである。その目的とするところは、取り付け場所に合わせて容易に取り付けることが可能なブラシを提供することにある。
【課題を解決するための手段】
【０００６】
以下、上記課題を解決するための手段及びその作用効果について記載する。
上記課題を解決するブラシは、複数のブラシ糸と、前記各ブラシ糸を互いに並列した状態で保持する保持糸とを有する毛羽部と、合成樹脂によって構成され、前記各ブラシ糸の延びる方向における前記毛羽部の一端側を挟持した状態で前記毛羽部に接合された基材とを備えたことを要旨とする。
【０００７】
上記構成によれば、基材が合成樹脂で構成されているため、基材を金属で構成する場合に比べて、フレキシブルに曲げることができる。したがって、取り付け場所に合わせて容易に取り付けることが可能となる。
【０００８】
上記構成のブラシにおいて、前記基材を押出成形しながら、前記基材によって前記毛羽部の一端側を挟持させることにより、前記基材と前記毛羽部とが接合されることが好ましい。
【０００９】
上記構成によれば、基材を押出成形しながら基材と毛羽部とが接合されるため、効率よく製造することが可能となる。
上記構成のブラシにおいて、前記保持糸は前記毛羽部の一端側に位置し、前記保持糸と前記基材とが接合されることが好ましい。
【００１０】
上記構成によれば、各ブラシ糸と基材とを保持糸を介して接合することが可能となる。
上記構成のブラシにおいて、前記保持糸と前記基材とが相溶性のある材料によって構成され、前記保持糸と前記基材とが熱溶着されることが好ましい。
【００１１】
上記構成によれば、保持糸と基材とが熱溶着されるので、保持糸と基材とを強固に接合することが可能となる。
【発明の効果】
【００１２】
上記ブラシによれば、取り付け場所に合わせて容易に取り付けることができる。
【図面の簡単な説明】
【００１３】
【図１】一実施形態におけるシーリングライトを示す模式断面図。
【図２】同シーリングライトのカバーに取り付けられるシール材を示す模式斜視図。
【図３】同シール材を構成する毛羽体の製造過程を示す模式図。
【図４】同シール材の製造過程を示す模式図。
【図５】（ａ）、（ｂ）は共に変更例のブラシを取り付けるための取付具を示す斜視図。
【図６】変更例のブラシを取付具によって取り付けた状態を示す模式図。
【発明を実施するための形態】
【００１４】
以下、ブラシをシーリングライトに用いるシール材に具体化した一実施形態を図面に基づいて説明する。
図１に示すように、シーリングライト１１は、天井１２に取り付けて室内を照らす装置であり、略円板状の上板１３と、上板１３の下面における中心部に設けられた本体部１４とを備えている。本体部１４には、図示しない取り付け金具を介して円環状の蛍光灯１５が支持されている。本体部１４の中心部には、図示しない操作スイッチの操作に基づき蛍光灯１５を点けたり消したりする制御などを行う制御部１６が設けられている。
【００１５】
そして、上板１３には、本体部１４、蛍光灯１５、制御部１６など、装置全体を覆うように、透光性のカバー１７が着脱自在に取り付けられている。カバー１７は、底壁が曲面状に膨らむ有底円筒状をなしている。カバー１７の外径は、上板１３の外径よりも若干大きくなるように設定されている。
【００１６】
カバー１７の上面における周縁部には、内部に溝４０ａを有する断面視略Ｕ字状をなす係止部材４０が全周にわたって延びるように設けられている。係止部材４０は、上端部に溝４０ａの幅よりも狭い開口部４０ｂを有している。そして、係止部材４０には、カバー１７の上面と天井１２との間の隙間を塞ぐためのブラシの一例としてのシール材１８が、カバー１７の全周にわたって延びるように係止されている。
【００１７】
次に、シール材１８の構成について詳述する。
図２に示すように、シール材１８は、長尺状の基材２０と、基材２０に接合された毛羽部の一例としての帯状の毛羽体２１とを備えている。基材２０は、オレフィン系（本実施形態では、ポリプロピレン系）の熱可塑性エラストマ（可撓性の合成樹脂材料）を押出成形することによって形成されている。この場合、基材２０は、ＪＩＳ  Ｋ６２５３  Ｄ型で規定される硬度が６０度以下であることが好ましい。さらに、基材２０は、ＪＩＳ  Ｋ６２５３  Ａ型で規定される硬度が８５度以下であることがより好ましい。
【００１８】
また、基材２０は、毛羽体２１における短手方向の一端側を挟持した状態で毛羽体２１に接合される一対の帯状をなす挟持片２０ａと、各挟持片２０ａの基端同士を繋ぐ帯状の連結部２０ｂとを備えている。すなわち、基材２０は、長手方向から見て略Ｕ字状をなしている。
【００１９】
図３に示すように、毛羽体２１は、ポリアミド製のマルチフィラメントで構成された１本のブラシ糸２１ａを蛇行状に編み、両側の湾曲部分を互いに平行に延びる少なくとも１本以上（本実施形態では２本）のポリプロピレン製の保持糸２３によってそれぞれ編んだ後、中央部分を切断する（図３の矢印に沿って切断する）ことによって同時に２つ形成される。
【００２０】
すなわち、毛羽体２１は、互いに並列に配置した状態の複数のＵ字状をなすブラシ糸２１ａの基端部（湾曲部分側；毛羽体２１の短手方向における一端側）を、各ブラシ糸２１ａの並列方向に沿って真っ直ぐ互いに平行に延びる２本の保持糸２３によって一体に保持することによって形成されている。したがって、毛羽体２１における短手方向が各ブラシ糸２１ａの延びる方向となる。
【００２１】
また、保持糸２３及び基材２０は共にポリプロピレンを含んでいるため、保持糸２３と基材２０とは相溶性のある材料によって構成されていると言える。なお、各ブラシ糸２１ａには畜光材が練りこまれるとともに、保持糸２３には熱溶融糸が合糸されている。
【００２２】
そして、毛羽体２１と基材２０とを接合してシール材１８を形成する場合には、図４に示すように、基材２０を押出成形しながら、毛羽体２１の基端側（保持糸２３側；短手方向の一端側）を押し出されてくる半溶融状態の基材２０の各挟持片２０ａ間に順次挿入していく。このとき、各挟持片２０ａの外側からそれぞれ図示しない治具によって各挟持片２０ａを挟むように押圧する。
【００２３】
すると、毛羽体２１の各保持糸２３（毛羽体２１の基端部分）が各挟持片２０ａによって挟持された状態になる。このとき、押し出されてくる半溶融状態の基材２０の熱によって、各挟持片２０ａと各保持糸２３とが互いに熱溶着されることで、図２に示すシール材１８が得られる。
【００２４】
次に、シール材１８をシーリングライト１１のカバー１７に取り付ける際の作用について説明する。
さて、シール材１８をカバー１７に取り付ける場合には、まず、円環状の係止部材４０と同じ長さのシール材１８を用意する。続いて、この用意したシール材１８の一端部における基材２０を、係止部材４０の開口部４０ｂから押し込む。すると、押し込んだ基材２０が弾性変形しながら溝４０ａ内に挿入される。これにより、シール材１８は、その一端部において、基材２０が係止部材４０の溝４０ａ内に挿入されるとともに、各ブラシ糸２１ａが係止部材４０の開口部４０ｂから突出した状態となる。
【００２５】
引き続き、上記と同様に、基材２０をシール材１８の一端部から他端部へ向かって順次係止部材４０の開口部４０ｂに沿って押し込んでいく。そして、シール材１８が係止部材４０の全周にわたって係止された状態となると、シール材１８のカバー１７に対する取り付け作業が完了する。
【００２６】
このとき、シール材１８の基材２０は、可撓性を有しているため、フレキシブルに曲げることができる。このため、円形のカバー１７の上面における周縁部に設けられた係止部材４０には、当該係止部材４０に沿ってシール材１８を円環状に曲げながら容易に組み付けることができる。すなわち、シール材１８をカバー１７に対して容易に取り付けることができる。
【００２７】
そして、シール材１８をカバー１７に取り付けると、図１に示すように、シール材１８の毛羽体２１の先端部は、天井１２に当接する。このため、シール材１８によって、天井１２とカバー１７との間の隙間がシールされる。したがって、天井１２とカバー１７との間の隙間からの害虫などの侵入が抑制される。
【００２８】
また、シール材１８の毛羽体２１を構成する各ブラシ糸２１ａには畜光材が練りこまれているため、シーリングライト１１を消した後でも、少しの間は毛羽体２１が発光する。したがって、シーリングライト１１を消した後でも、毛羽体２１が発光している少しの間は、若干の視界を確保することができる。
【００２９】
以上詳述した実施形態によれば次のような効果が発揮される。
（１）シール材１８は、基材２０が熱可塑性エラストマによって構成されているため、基材２０を金属で構成する場合に比べて、フレキシブルに曲げることができる。このため、シール材１８を、カバー１７の径に合わせて円環状に曲げながらカバー１７の上面における周縁部（係止部材４０）に合わせて容易に取り付けることができる。なお、シール材１８は、フレキシブルに曲げることができるため、カバー１７の径が変わってもその変わった径に容易に合わせることができる。
【００３０】
（２）シール材１８は、基材２０を押出成形しながら、基材２０と毛羽体２１とを熱溶着して形成されるため、効率よく製造することができる。
（３）シール材１８は、保持糸２３が毛羽体２１の短手方向の一端側に位置し、保持糸２３と基材２０とが熱溶着される。したがって、各ブラシ糸２１ａと基材２０とが互いに熱溶着できない材料で構成されていても、保持糸２３と基材２０とを互いに熱溶着可能な材料で構成することで、毛羽体２１と基材２０とを熱溶着によって容易に接合することができる。すなわち、各ブラシ糸２１ａと基材２０とを保持糸２３を介して熱溶着（接合）することができる。
【００３１】
（４）シール材１８は、保持糸２３と基材２０とが相溶性のある材料によって構成され、保持糸２３と基材２０とが熱溶着されている。このため、保持糸２３と基材２０とを強固に接合することができる。
【００３２】
（変更例）
なお、上記実施形態は、次のように変更して具体化することも可能である。
・カバー１７の上面における周縁部には、一部（例えば、周方向に等間隔で３〜１０箇所程度）にシール材１８（基材２０）を係止可能な係止部材４０を設けるようにしてもよい。
【００３３】
・カバー１７の上面における周縁部にシール材１８を両面粘着テープで粘着するようにしてもよい。
・カバー１７の上面における周縁部にシール材１８を接着剤で接着するようにしてもよい。
【００３４】
・シール材１８において、基材２０は必ずしも熱可塑性エラストマによって構成する必要はない。すなわち、基材２０を構成する材料は、金属よりも柔らかくて弾性変形しやすい合成樹脂であればよい。
【００３５】
・シール材１８において、毛羽体２１から保持糸２３を省略し、各ブラシ糸２１ａを基材２０に対して直接接合するようにしてもよい。この場合、各ブラシ糸２１ａと基材２０との接合方法としては、接着剤や両面粘着テープを用いたもの、あるいは熱溶着によるものなどが挙げられる。
【００３６】
・保持糸２３は必ずしも２本である必要はなく、１本であっても、３本以上であってもよい。保持糸２３の本数は、基材２０のサイズと、保持糸２３と基材２０との間で必要とされる接合力により適宜選択される。
【００３７】
・保持糸２３には、基材２０に熱溶着可能な材料であれば、必ずしも熱溶融糸を合糸する必要はない。
・保持糸２３の編みこみ方法は必ずしも図３に示す方法に限定されず、通常実施されている編みこみ方法であれば適宜適用されうる。また、保持糸２３を組み込む方法は、必ずしも編みでなくてもよく、例えば織りであってもよい。
【００３８】
・シール材１８において、各保持糸２３は毛羽体２１の短手方向の中央部に配置されていてもよい。
・毛羽体２１のブラシ糸２１ａは、ポリアミド以外の材料、例えばポリエステルやポリプロピレン、あるいはポリマーアロイによって構成してもよい。
【００３９】
・シール材１８において、毛羽体２１と基材２０とを、接着剤による接着や両面粘着テープによる粘着によって接合するようにしてもよい。
・シール材１８における基材２０は、必ずしも押出成形によって形成する必要はなく、例えば射出成型によって形成するようにしてもよい。
【００４０】
・シール材１８は、各ブラシ糸２１ａ、各保持糸２３、及び基材２０のうちの少なくとも１つに、害虫に対する忌避剤を練りこむようにしてもよい。このようにすれば、害虫の侵入を効果的に抑制することができる。
【００４１】
・ブラシは、シール材１８以外の用途に用いてもよい。例えば、床面上に取り付けて履物などの汚れを落とすためのクリーニングブラシとして用いるようにしてもよい。
・図５（ａ）に示すような取付具３０を用いて、図６に示すような態様でブラシ３１（シール材１８と同一の構成であるため、図６ではシール材１８と同様の符号を付している）を取り付け場所に取り付けるようにしてもよい。すなわち、図５（ａ）及び図６に示すように、取付具３０は、ブラシ３１の基材２０が挿入されて支持される支持溝３２を有する支持部３３と、取付孔３４を有する平板状の取付部３５とを備えている。そして、ブラシ３１の取り付け場所に取付具３０を取付孔３４においてねじ（図示略）で固定した後、支持溝３２の開口部３２ａから毛羽体２１が出るように基材２０を支持溝３２に挿入することで、ブラシ３１が取付具３０によって支持された状態で取り付け場所に取り付けられる。
【００４２】
・上記取付具３０は、図５（ｂ）に示すように、支持溝３２の開口部３２ａを下に設けるようにしてもよい。
・上記取付具３０は、ブラシ３１の取り付け場所に対して、接着剤や両面粘着テープによって固定するようにしてもよい。この場合、取付具３０における取付孔３４は省略される。
【００４３】
さらに、上記実施形態より把握できる技術的思想について以下に記載する。
（イ）前記基材は、ＪＩＳ  Ｋ６２５３  Ｄ型で規定される硬度が６０度以下であることを特徴とする請求項１〜請求項４のうちいずれか一項に記載のブラシ。
【００４４】
このようにすれば、ブラシを容易に曲げて使用することができる。
（ロ）前記基材は、ＪＩＳ  Ｋ６２５３  Ａ型で規定される硬度が８５度以下であることを特徴とする請求項１〜請求項４のうちいずれか一項に記載のブラシ。
【００４５】
このようにすれば、ブラシをより一層容易に曲げて使用することができる。
【符号の説明】
【００４６】
１８…ブラシの一例としてのシール材、２０…基材、２１…毛羽部の一例としての毛羽体、２１ａ…ブラシ糸、２３…保持糸、３１…ブラシ。
【図１】
2014054450.tif 000003
【図２】
2014054450.tif 000004
【図３】
2014054450.tif 000005
【図４】
2014054450.tif 000006
【図５】
2014054450.tif 000007
【図６】
2014054450.tif 000008